(57)【要約】【課題】外貨募金が行える自動取引処理装置を提供する。【解決手段】ＡＴＭ１は、取引種別の１つである募金取引の選択を受け付けると、紙幣入出金口４ａや硬貨入出金口５ａにおいて紙幣や硬貨の投入を受け付け、投入された紙幣や硬貨をリジェクトカートリッジ４５、５８に搬送して収納する。すなわち、ＡＴＭ１は、募金取引が選択されると、金種や真偽を識別することができない外貨であっても、リジェクトカートリッジ４５、５８に搬送して収納する。したがって、利用者は、ＡＴＭ１で外貨を募金することができる。【選択図】図１
2015005235.tif 000002
【特許請求の範囲】
【請求項１】
取引種別の１つとして募金取引を受け付ける取引種別受付部と、
前記取引種別受付部が募金取引を受け付けたとき、貨幣投入口に投入された貨幣を予め定めた貨幣カートリッジに搬送して収納する募金処理部と、を備えた自動取引処理装置。
【請求項２】
前記貨幣投入口に投入された貨幣のサイズを検出する貨幣サイズ検出部を備え、
前記募金処理部は、前記貨幣サイズ検出部で検出したサイズが予め定めた範囲内である貨幣を予め定めた貨幣カートリッジに搬送して収納し、前記貨幣サイズ検出部で検出したサイズが予め定めた範囲内でない貨幣を返却口に搬送する、請求項１に記載の自動取引処理装置。
【請求項３】
前記貨幣投入口に投入された貨幣の金種を識別する貨幣識別部を備え、
前記募金処理部は、前記貨幣識別部で金種を識別することができなかった貨幣を予め定めた貨幣カートリッジに搬送して収納し、前記貨幣識別部で金種を識別することができた貨幣を返却口に搬送する、請求項１に記載の自動取引処理装置。
【請求項４】
前記貨幣識別部は、前記貨幣投入口に投入された貨幣のサイズを検出する貨幣サイズ検出機能を有し、
前記募金処理部は、前記貨幣識別部で検出したサイズが予め定めた範囲内である貨幣を予め定めた貨幣カートリッジに搬送して収納し、前記貨幣識別部で検出したサイズが予め定めた範囲内でない貨幣を前記返却口に搬送する、請求項３に記載の自動取引処理装置。
【請求項５】
前記募金取引処理部が募金取引を処理したときに、その旨を出力する出力部を備えた請求項１〜４のいずれかに記載の自動取引処理装置。
【請求項６】
前記募金処理部は、貨幣投入口に投入された貨幣を、リジェクト貨幣を収納するリジェクトカートリッジに搬送して収納する、請求項１〜５のいずれかに記載の自動取引処理装置。
【発明の詳細な説明】
【技術分野】
【０００１】
この発明は、自動取引処理装置に関する。
【背景技術】
【０００２】
従来、金融機関の店舗や、コンビニエンスストア等には、現金の入出金取引が行える現金自動預け払い機（以下、ＡＴＭと言う。）が設置されている。また、募金にかかる取引（ここでは、募金取引と言う。）が行えるＡＴＭが特許文献１、２等で提案されている。
【０００３】
特許文献１は、募金として入金された貨幣を、特定の口座（募金口座）に入金する構成である。
【０００４】
また、特許文献２は、利用者に返却する釣銭等が発生したときに、その釣銭に応じた金額の募金取引が選択できる構成である。
【先行技術文献】
【特許文献】
【０００５】
【特許文献１】特開２０１１−２１５６７４号公報
【特許文献２】特開２０１１−２４３０４５号公報
【発明の概要】
【発明が解決しようとする課題】
【０００６】
しかしながら、特許文献１、２等は、募金できる貨幣の種別が、ＡＴＭで取り扱える貨幣（通常、自国の貨幣）に限られていた。すなわち、特許文献１、２等に記載されたＡＴＭでは、利用者が外貨を募金することができなかった。
【０００７】
一方で、少額の外貨を保有している人（海外旅行から帰って来た人等）の中には、手間がかかるため、その外貨を換金せずに放置している人も多い。
【０００８】
したがって、少額の外貨を保有している多くの人から、効率的にその外貨を募金してもらうことによって、多額の募金を集め、様々な福祉事業を援助できる。
【０００９】
この発明の目的は、外貨募金が行える自動取引処理装置を提供することにある。
【課題を解決するための手段】
【００１０】
自動取引処理装置は、取引種別の１つとして募金取引を受け付ける取引種別受付部と、取引種別受付部が募金取引を受け付けたとき、貨幣投入口に投入された貨幣を予め定めた貨幣カートリッジに搬送して収納する募金処理部と、を備える。
【発明の効果】
【００１１】
本発明の一側面によれば、外貨募金を行うことができる利便性の高い自動取引処理装置を提供できる。
【図面の簡単な説明】
【００１２】
【図１】ＡＴＭの外観を示す概略図である。
【図２】ＡＴＭの主要部の構成を示すブロック図である。
【図３】紙幣処理ユニットの構成を示す概略図である。
【図４】硬貨処理ユニットの構成を示す概略図である。
【図５】取引選択画面を示す図である。
【図６】募金処理を示すフローチャートである。
【図７】募金取引確認画面を示す図である。
【図８】募金貨幣の種別確認画面を示す図である。
【図９】硬貨投入画面を示す図である。
【図１０】紙幣投入画面を示す図である。
【図１１】募金取引完了画面を示す図である。
【図１２】別の例にかかる硬貨搬送処理を示すフローチャートである。
【図１３】別の例にかかる紙幣搬送処理を示すフローチャートである。
【図１４】別の例にかかる硬貨搬送処理を示すフローチャートである。
【図１５】別の例にかかる紙幣搬送処理を示すフローチャートである。
【発明を実施するための形態】
【００１３】
以下、この発明の一実施の形態である現金自動預け払い機（以下、ＡＴＭと言う。）について説明する。
【００１４】
図１は、この発明の実施形態であるＡＴＭの外観を示す概略図である。図２は、このＡＴＭの主要部の構成を示すブロック図である。
【００１５】
この例にかかるＡＴＭ１は、図２に示すように、主制御ユニット２と、表示・操作ユニット３と、紙幣処理ユニット４と、硬貨処理ユニット５と、カード・明細票処理ユニット６と、通帳処理ユニット７と、通信ユニット８と、を備えている。このＡＴＭ１は、金融機関の店舗やコンビニエンスストア等に設置され、利用者が要求する種別の取引（入金取引、出金取引、募金取引等）を処理する。主制御ユニット２は、各ユニットの動作を制御する。
【００１６】
表示・操作ユニット３は、本体正面に設けた表示器３ａ、およびこの表示器３ａの画面上に貼付したタッチパネル３ｂを有している。表示・操作ユニット３は、利用者に対する操作案内画面を表示器３ａに表示する。また、表示・操作ユニット３は、タッチパネル３ｂの押下位置を検知することにより、暗証番号や取引内容（取引種別、出金金額等）にかかる利用者の入力操作を受け付ける。また、表示・操作ユニット３は、利用者の生体情報（指紋、指静脈、掌紋等）を読み取る生体情報読取部等を有していてもよい。
【００１７】
紙幣処理ユニット４は、入出金紙幣を処理する。本体正面には、入出金紙幣を収納する紙幣入出金口４ａを設けている。この紙幣入出金口４ａには、シャッタが設けられている。また、紙幣入出金口４ａには、入金紙幣、出金紙幣、および返却紙幣の収納場所を区別する仕切り板が設けられている。紙幣処理ユニット４は、このシャッタの開閉により、紙幣入出金口４ａに対する紙幣の投入や取り出しを制限する。
【００１８】
硬貨処理ユニット５は、入出金硬貨を処理する。本体正面には、入出金硬貨を収納する硬貨入出金口５ａを設けている。この硬貨入出金口５ａには、シャッタが設けられている。また、硬貨処理ユニット５は、このシャッタの開閉により、硬貨入出金口５ａに対する硬貨の投入や取り出しを制限する。
【００１９】
カード・明細票処理ユニット６は、本体正面に設けたカード挿入口６ａに挿入されたカードを取り込み、このカードに記録されているカード情報（金融機関番号、店舗番号、口座番号等）の読み取りや、カード情報の書き換え等を行う。カード・明細票処理ユニット６は、磁気カードを処理する構成であってもよいし、ＩＣカードを処理する構成であってもよいし、両方のカード（磁気カード、およびＩＣカード）を処理する構成であってもよい。また、カード・明細票処理ユニット６は、取引内容を明細票に印字する印字部（不図示）を有する。カード・明細票処理ユニット６は、取引内容を印字した明細票を本体正面に設けた明細票放出口６ｂに放出する。
【００２０】
通帳処理ユニット７は、本体正面に設けた通帳挿入口７ａに挿入された通帳を取り込み、この通帳に対して取引履歴を印字する印字部（不図示）を有している。また、通帳処理ユニット７は、取り込んだ通帳のページを捲るページ捲り機構や、通帳に印刷されているページ番号を示すバーコードを読み取るバーコードリーダ、通帳に貼付されている磁気ストライプに記録されている通帳情報（金融機関番号、店舗番号、口座番号等）を読み取る磁気ヘッド等も有している。
【００２１】
通信ユニット８は、センタに設置されている上位装置（不図示）との間におけるデータ通信を制御する。
【００２２】
なお、センタの上位装置は、開設されている口座毎に、口座開設者の氏名、住所、連絡先電話番号、取引履歴、暗証番号、口座残高等を含む口座管理情報を登録したデータベースを備えている。センタの上位装置は、ＡＴＭ１から通知された取引内容に基づいて、取引が行われた口座にかかる口座管理情報を更新する処理や、ＡＴＭ１からの取引可否の認証要求に対して、取引可否を認証し、その認証結果を返信する処理等を行う。センタの上位装置は、後述する募金取引にかかる取引履歴を記憶するデータベースも備えている。
【００２３】
ここで、紙幣処理ユニット４が紙幣を搬送する搬送経路について説明する。図３は、紙幣処理ユニットの構成を示す概略図である。
【００２４】
紙幣処理ユニット４は、金種別カートリッジ４１〜４４と、リジェクトカートリッジ４５とを内部に収納している。金種別カートリッジ４１〜４４、およびリジェクトカートリッジ４５は、ＡＴＭ１本体に対して着脱自在である。この例では、金種別カートリッジ４１、４２は、１万円紙幣を収納する。金種別カートリッジ４３、４４は、千円紙幣を収納する。リジェクトカートリッジ４５は、金種に関係なく、取引に使用しないと判定した紙幣や後述募金取引で入金された紙幣等を収納する。また、紙幣処理ユニット４は、紙幣を一時的に保留する一時保留部４６を備えている。
【００２５】
紙幣処理ユニット４は、金種別カートリッジ４１〜４４、リジェクトカートリッジ４５、一時保留部４６、および紙幣入出金口４ａをむすぶ紙幣搬送路４０を備えている。紙幣処理ユニット４は、図示していない搬送モータを制御し、紙幣搬送路４０に沿って紙幣を搬送する。金種別カートリッジ４１〜４４、一時保留部４６、および紙幣入出金口４ａには、収納している紙幣を紙幣搬送路４０に繰り出す繰出機構が設けられているが、リジェクトカートリッジ４５には、収納している紙幣を紙幣搬送路４０に繰り出す繰出機構が設けられていない。紙幣処理ユニット４は、金種別カートリッジ４１〜４４、一時保留部４６、または紙幣入出金口４ａに収納している紙幣を紙幣搬送路４０に繰り出す処理や、紙幣搬送路４０の分岐点等に設けたフラッパ（不図示）を制御して搬送している紙幣の搬送先を制御する処理や、紙幣入出金口４ａに設けたシャッタを開閉する処理等も行う。
【００２６】
また、紙幣処理ユニット４は、紙幣の金種を識別する紙幣識別部４９を備えている。紙幣識別部４９は、紙幣の真偽についても識別できる。紙幣識別部４９は、紙幣搬送路４０に沿って搬送されている紙幣の金種を識別する。紙幣識別部４９は、紙幣搬送路４０に沿って搬送されている紙幣毎に、その紙幣から読み取った光学パターンや磁気パターン等の特徴量、紙幣の大きさを用いて、その金種を識別する。また、紙幣識別部４９は、紙幣の大きさとして、紙幣搬送路４０における搬送方向の長さ、紙幣搬送路４０における搬送方向に対して垂直な方向の長さ、および厚さを検出する（この機能が、この発明で言う貨幣サイズ検出部、貨幣サイズ検出機能に相当する。）。
【００２７】
なお、紙幣識別部４９は、自国の紙幣（この例では円）について金種の識別が行えるだけで、外貨（この例では、ドルやユーロ等）については金種を識別することはできない。
【００２８】
次に、硬貨処理ユニット５が硬貨を搬送する搬送経路について説明する。図４は、硬貨処理ユニットの構成を示す概略図である。
【００２９】
硬貨処理ユニット５は、金種別カートリッジ５１〜５６と、リジェクトカートリッジ５８とを内部に収納している。この例では、金種別カートリッジ５１は、１円硬貨を収納する。金種別カートリッジ５２は、５円硬貨を収納する。金種別カートリッジ５３は、１０円硬貨を収納する。金種別カートリッジ５４は、５０円硬貨を収納する。金種別カートリッジ５５は、１００円硬貨を収納する。金種別カートリッジ５６は、５００円硬貨を収納する。リジェクトカートリッジ５８は、金種に関係なく、取引に使用しないと判定した硬貨や後述募金取引で入金された硬貨等を収納する。また、硬貨処理ユニット５は、硬貨を一時的に保留する一時保留部５７を備えている。
【００３０】
硬貨処理ユニット５は、金種別カートリッジ５１〜５６、リジェクトカートリッジ５８、一時保留部５７、および硬貨入出金口５ａをむすぶ硬貨搬送路５０を備えている。硬貨処理ユニット５は、図示していない搬送モータを制御し、硬貨搬送路５０に沿って硬貨を搬送する。金種別カートリッジ５１〜５６、一時保留部５７、および硬貨入出金口５ａには、収納している硬貨を硬貨搬送路５０に繰り出す繰出機構が設けられているが、リジェクトカートリッジ５８には、収納している硬貨を硬貨搬送路５０に繰り出す繰出機構が設けられていない。硬貨処理ユニット５は、金種別カートリッジ５１〜５６、一時保留部５７、または硬貨入出金口５ａに収納している硬貨を硬貨搬送路５０に繰り出す処理や、硬貨搬送路５０の分岐点等に設けたフラッパ（不図示）を制御して搬送している硬貨の搬送先を制御する処理や、硬貨入出金口５ａに設けたシャッタを開閉する処理等も行う。
【００３１】
また、硬貨処理ユニット５は、硬貨の金種を識別する硬貨識別部５９を備えている。硬貨識別部５９は、硬貨の真偽についても識別できる。硬貨識別部５９は、硬貨搬送路５０に沿って搬送されている硬貨の金種を識別する。硬貨識別部５９は、硬貨搬送路５０に沿って搬送されている硬貨毎に、その硬貨の厚み、重さ、径、穴の有無等を検出し、その金種を識別する。硬貨識別部が、この発明で言う貨幣サイズ検出部に相当する構成を有する。
【００３２】
なお、硬貨識別部５９も上述した紙幣識別部４９と同様に、自国の硬貨（この例では円）について金種の識別が行えるだけで、外貨（この例では、ドルやユーロ等）については金種を識別することはできない。
【００３３】
この例にかかるＡＴＭ１は、公知の入金取引、出金取引、振込取引等が行えるとともに、後述する募金取引が行える。入金取引、出金取引、振込取引等にかかる処理については、公知であるので、ここでは説明を省略する。以下、このＡＴＭ１における募金取引について説明する。
【００３４】
ＡＴＭ１は、図示していない近接センサで、ＡＴＭ１本体正面に位置する利用者を検知すると、表示・操作ユニット３が図５に示す取引選択画面を表示器３ａに表示する。利用者は、この取引選択画面において表示されているいずれかの取引を選択する入力操作（表示されている取引種別のいずれかのボタンを押下する操作）を行う。ＡＴＭ１は、表示・操作ユニット３が募金取引を選択する入力操作を受け付けると、図６に示す募金処理を実行する。
【００３５】
ＡＴＭ１は、表示・操作ユニット３が図７に示す募金取引確認画面を表示器３ａに表示する（ｓ１）。利用者は、募金取引の選択が誤操作であった場合、取消ボタンを押下する。一方、利用者は、募金取引の選択が誤操作でなかった場合、確認ボタンを押下する。
【００３６】
ＡＴＭ１は、表示・操作ユニット３において、確認ボタン、または取消ボタンが押下されるのを待つ（ｓ２、ｓ３）。ＡＴＭ１は、取消ボタンが押下されると、本処理を終了し、図５に示した取引選択画面を表示器３ａに表示する。
【００３７】
ＡＴＭ１は、確認ボタンが押下されると、表示・操作ユニット３が図８に示す募金貨幣の種別確認画面を表示する（ｓ４）。この募金貨幣の種別確認画面は、募金する貨幣の種別（硬貨のみ、紙幣のみ、または、硬貨と紙幣のいずれか）を利用者に入力させる画面である。利用者は、募金する貨幣の種別に応じて、募金貨幣の種別確認画面に表示されているいずれかのボタンを押下する操作を行う。
【００３８】
ＡＴＭ１は、表示・操作ユニット３において、募金貨幣の種別が選択されると（ｓ５）、今回募金される貨幣に硬貨があるかどうかを判定する（ｓ６）。ｓ６における判定は、ｓ５で受け付けた募金貨幣の種別に基づいて行う。ＡＴＭ１は、ｓ６で今回募金される貨幣に硬貨がないと判定すると、後述するｓ１１以降の処理を実行する。
【００３９】
ＡＴＭ１は、ｓ６で今回募金される貨幣に硬貨があると判定すると、表示・操作ユニット３が図９に示す硬貨投入画面を表示器３ａに表示する（ｓ７）。また、ｓ７では、硬貨処理ユニット５が、硬貨入出金口５ａに設けたシャッタを開する。利用者は、募金する硬貨を硬貨入出金口５ａに投入した後、表示器３ａに表示されている入金ボタンを押下する。
【００４０】
ＡＴＭ１は、利用者が入金ボタンを押下すると、硬貨の投入が完了したと判定し（ｓ８）、硬貨入出金口５ａに設けたシャッタを閉するとともに、硬貨入出金口５ａに投入された硬貨をリジェクトカートリッジ５８に搬送し、収納する（ｓ９）。ｓ９では、硬貨識別部５９で硬貨の金種を識別することなく、今回硬貨入出金口５ａに投入された硬貨をリジェクトカートリッジ５８に搬送し、収納する。したがって、硬貨入出金口５ａに投入された硬貨が、金種を識別することができない外貨（ここでは、円以外のドルやユーロ等）であっても、募金された硬貨としてリジェクトカートリッジ５８に収納することができる。
【００４１】
また、ＡＴＭ１は、ｓ９にかかる処理が完了すると、今回募金される貨幣に紙幣があるかどうかを判定する（ｓ１０）。ｓ１０における判定は、ｓ５で受け付けた募金貨幣の種別に基づいて行う。ＡＴＭ１は、ｓ１０で今回募金される貨幣に紙幣がないと判定すると、後述するｓ１４以降の処理を実行する。
【００４２】
ＡＴＭ１は、ｓ１０で今回募金される貨幣に紙幣があると判定すると、表示・操作ユニット３が図１０に示す紙幣投入画面を表示器３ａに表示する（ｓ１１）。また、ｓ１１では、紙幣処理ユニット４が、紙幣入出金口４ａに設けたシャッタを開する。利用者は、募金する紙幣を紙幣入出金口４ａに投入した後、表示器３ａに表示されている入金ボタンを押下する。
【００４３】
ＡＴＭ１は、利用者が入金ボタンを押下すると、紙幣の投入が完了したと判定し（ｓ１２）、紙幣入出金口４ａに設けたシャッタを閉するとともに、紙幣入出金口４ａに投入された紙幣をリジェクトカートリッジ４５に搬送し、収納する（ｓ１３）。ｓ１３では、紙幣識別部４９で紙幣の金種を識別することなく、今回紙幣入出金口４ａに投入された紙幣をリジェクトカートリッジ４５に搬送し、収納する。したがって、紙幣入出金口４ａに投入された紙幣が金種を識別することができない外貨（ここでは、円以外のドルやユーロ等）であっても、募金された紙幣としてリジェクトカートリッジ４５に収納することができる。
【００４４】
なお、この例では、硬貨、紙幣の順番で処理するとしているが、紙幣、硬貨の順番で処理してもよい。
【００４５】
ＡＴＭ１は、通信ユニット８において、センタの上位装置に募金取引を処理したことを通知する（ｓ１４）。ｓ１４では、ＡＴＭ１本体を識別する識別コード、募金取引を処理した日時を通知する。また、この通知に、募金された硬貨の枚数、および紙幣の枚数を含めてもよい。上位装置は、この通知を募金取引の履歴として蓄積的に記憶する。
【００４６】
また、ＡＴＭ１は、表示・操作ユニット３が図１１に示す募金取引完了画面を表示器３ａに表示し（ｓ１５）、本処理を終了する。また、ｓ１５では、カード・明細票処理ユニット６において、募金取引にかかる明細票を発行してもよい。また、明細票の発行の有無を、ｓ１５で表示した募金取引完了画面で利用者に選択させるようにしてもよい。
【００４７】
このように、この例にかかるＡＴＭ１では、自国の貨幣（この例では円）だけでなく、外貨も簡単に募金できる。したがって、少額の外貨を保有している多くの人から、効率的にその外貨を募金してもらうことができる。
【００４８】
また、上記の例では、募金できる貨幣を硬貨、および紙幣としたが、募金できる貨幣を硬貨、または紙幣のどちらか一方に限定してもよい。
【００４９】
次に、この発明の別の例について説明する。上記の例では、募金取引において、硬貨入出金口５ａに投入された硬貨、および、紙幣入出金口４ａに投入された紙幣を全てリジェクトカートリッジ４５、５８に搬送し、収納するとしたが、この場合、イタズラ等で投入されたおもちゃの貨幣（例えば、子供銀行券）もリジェクトカートリッジ４５、５８に搬送し、収納することになる。このようなイタズラを防止するため、硬貨、および紙幣のそれぞれについて、リジェクトカートリッジ５８、４５に搬送し、収納する貨幣（募金として受け付ける貨幣）のサイズを規定してもよい。
【００５０】
具体的には、硬貨については、その厚さＴｃ、径Ｒｃ、重さＭｃのそれぞれが、
（１）Ｔｃｘ≦Ｔｃ≦Ｔｃｙ（Ｔｃｘ＜Ｔｃｙ）
（２）Ｒｃｘ≦Ｒｃ≦Ｒｃｙ（Ｒｃｘ＜Ｒｃｙ）
（３）Ｍｃｘ≦Ｍｃ≦Ｍｃｙ（Ｔｃｘ＜Ｔｃｙ）
の条件を満足したときにリジェクトカートリッジ５８に収納し、少なくともいずれか１つの条件を満足しなかったときに硬貨入出金口５ａに戻す（利用者に返却する。）。但し、Ｔｃｘ、Ｔｃｙ、Ｒｃｘ、Ｒｃｙ、Ｍｃｘ、およびＭｃｙは、外貨を含めた一般的な硬貨に基づいて、予め定めた値である。
【００５１】
また、紙幣については、その厚さＴｂ、搬送方向の長さＬｂ（縦方向の長さＬｂ）、搬送方向に垂直な方向の長さＷｂ（幅方向の長さＷｂ）のそれぞれが、
（１）Ｔｂｘ≦Ｔｂ≦Ｔｂｙ（Ｔｂｘ＜Ｔｂｙ）
（２）Ｌｂｘ≦Ｌｂ≦Ｌｂｙ（Ｌｂｘ＜Ｌｂｙ）
（３）Ｗｂｘ≦Ｗｂ≦Ｗｂｙ（Ｗｂｘ＜Ｗｂｙ）
の条件を満足したときにリジェクトカートリッジ４５に収納し、少なくともいずれか１つの条件を満足しなかったときに紙幣入出金口４ａに戻す（利用者に返却する。）。但し、Ｔｂｘ、Ｔｂｙ、Ｌｂｘ、Ｌｂｙ、Ｗｂｘ、およびＷｂｙは、外貨を含めた一般的な紙幣に基づいて、予め定めた値である。
【００５２】
このＡＴＭ１では、図６に示したｓ９にかかる処理を、図１２に示す処理に置き換え、ｓ１３にかかる処理を図１３に示す処理に置き換えればよい。
【００５３】
図１２に示す硬貨搬送処理は、硬貨処理ユニット５が行う。硬貨処理ユニット５は、硬貨識別部５９で硬貨入出金口５ａに投入された硬貨について、その厚さＴｃ、径Ｒｃ、重さＭｃを検出する（ｓ２１）。
【００５４】
硬貨処理ユニット５は、 検出した硬貨の厚さＴｃがＴｃｘ≦Ｔｃ≦Ｔｃｙの条件を満足しているかどうか（ｓ２２）、検出した硬貨の径ＲｃがＲｃｘ≦Ｒｃ≦Ｒｃｙの条件を満足しているかどうか（ｓ２３）、および、検出した硬貨の重さＭｃがＭｃｘ≦Ｍｃ≦Ｍｃｙの条件を満足しているかどうか（ｓ２４）を判定する。ｓ２２、ｓ２３、ｓ２４にかかる判定の順番は、ここで示した順番に限らずどのような順番であってもよい。また、ｓ２２、ｓ２３、ｓ２４のいずれかの判定において、該当する条件を満足していないと判定した場合、未判定の条件があっても、その未判定の条件については満足しているかどうかを判定しない。
【００５５】
硬貨処理ユニット５は、ｓ２２、ｓ２３、ｓ２４のすべてにおいて、該当する条件を満足していると判定した硬貨をリジェクトカートリッジ５８に搬送し（ｓ２５）、収納する。一方、硬貨処理ユニット５は、ｓ２２、ｓ２３、ｓ２４のいずれかにおいて、該当する条件を満足していないと判定した硬貨を硬貨入出金口５ａに戻す（ｓ２６）。硬貨処理ユニット５は、上述したｓ２１〜ｓ２６にかかる処理を、今回硬貨入出金口５ａに投入された硬貨毎に繰り返す（ｓ２７）。
【００５６】
硬貨処理ユニット５は、ｓ２６で硬貨入出金口５ａに戻した硬貨の有無を判定し（ｓ２８）、硬貨入出金口５ａに戻した硬貨があれば硬貨入出金口５ａに設けたシャッタを一時的に開し（ｓ２９）、硬貨入出金口５ａに戻した硬貨を利用者に返却する。
【００５７】
また、図１３に示す紙幣搬送処理は、紙幣処理ユニット４が行う。紙幣処理ユニット４は、紙幣識別部４９で紙幣入出金口４ａに投入された紙幣について、その厚さＴｂ、縦方向の長さＬｂ、幅方向の長さＷｂを検出する（ｓ３１）。
【００５８】
紙幣処理ユニット４は、 検出した紙幣の厚さＴｂがＴｂｘ≦Ｔｂ≦Ｔｂｙの条件を満足しているかどうか（ｓ３２）、検出した紙幣の縦方向の長さＬｂがＬｂｘ≦Ｌｂ≦Ｌｂｙの条件を満足しているかどうか（ｓ３３）、および、検出した紙幣の幅方向の長さＷｂがＷｂｘ≦Ｗｂ≦Ｗｂｙの条件を満足しているかどうか（ｓ３４）を判定する。ｓ３２、ｓ３３、ｓ３４にかかる判定の順番は、ここで示した順番に限らずどのような順番であってもよい。また、ｓ３２、ｓ３３、ｓ３４のいずれかの判定において、該当する条件を満足していないと判定した場合、未判定の条件があっても、その未判定の条件については満足しているかどうかを判定しない。
【００５９】
紙幣処理ユニット４は、ｓ３２、ｓ３３、ｓ３４のすべてにおいて、該当する条件を満足していると判定した紙幣をリジェクトカートリッジ４５に搬送し（ｓ３５）、収納する。一方、紙幣処理ユニット４は、ｓ３２、ｓ３３、ｓ３４のいずれかにおいて、該当する条件を満足していないと判定した紙幣を紙幣入出金口４ａに戻す（ｓ３６）。紙幣処理ユニット４は、上述したｓ３１〜ｓ３６にかかる処理を、今回紙幣入出金口４ａに投入された紙幣毎に繰り返す（ｓ３７）。
【００６０】
紙幣処理ユニット４は、ｓ３６で紙幣入出金口４ａに戻した紙幣の有無を判定し（ｓ３８）、紙幣入出金口４ａに戻した紙幣があれば紙幣入出金口４ａに設けたシャッタを一時的に開し（ｓ３９）、紙幣入出金口４ａに戻した紙幣を利用者に返却する。
【００６１】
また、募金できる貨幣を、外貨のみ（この例では、円以外の貨幣）に限定してもよい。この場合には、図６に示したｓ９にかかる処理を、図１４に示す処理に置き換え、ｓ１３にかかる処理を図１５に示す処理に置き換えればよい。
【００６２】
図１４に示す硬貨搬送処理は、硬貨処理ユニット５が行う。硬貨処理ユニット５は、硬貨識別部５９で硬貨入出金口５ａに投入された硬貨について、金種を識別する（ｓ４１）。ＡＴＭ１は、取扱貨幣については、その金種を識別することができるが、その他の貨幣（非取扱貨幣）については、その金種を識別することができない。通常、取扱貨幣は、自国の貨幣であり、非取扱貨幣は、外貨である。
【００６３】
硬貨処理ユニット５は、硬貨識別部５９で金種を識別することができなかった硬貨、すなわち外貨（硬貨）、をリジェクトカートリッジ５８に搬送する（ｓ４３）。一方、硬貨処理ユニット５は、硬貨識別部５９で金種を識別することができた硬貨、すなわち自国の貨幣（硬貨）、を硬貨入出金口５ａに戻す（ｓ４４）。
【００６４】
硬貨処理ユニット５は、上述したｓ４１〜ｓ４４にかかる処理を、今回硬貨入出金口５ａに投入された硬貨毎に繰り返す（ｓ４５）。
【００６５】
硬貨処理ユニット５は、ｓ４４で硬貨入出金口５ａに戻した硬貨の有無を判定し（ｓ４６）、硬貨入出金口５ａに戻した硬貨があれば硬貨入出金口５ａに設けたシャッタを一時的に開し（ｓ４７）、硬貨入出金口５ａに戻した硬貨を利用者に返却する。
【００６６】
また、図１５に示す紙幣搬送処理は、紙幣処理ユニット４が行う。紙幣処理ユニット４は、紙幣識別部４９で紙幣入出金口４ａに投入された紙幣について、金種を識別する（ｓ５１）。上述したように、ＡＴＭ１は、取扱貨幣については、その金種を識別することができる。
【００６７】
紙幣処理ユニット４は、紙幣識別部４９で金種を識別することができなかった紙幣、すなわち外貨（紙幣）、をリジェクトカートリッジ４５に搬送する（ｓ５３）。一方、紙幣処理ユニット４は、紙幣識別部４９で金種を識別することができた紙幣、すなわち自国の貨幣（紙幣）、を紙幣入出金口４ａに戻す（ｓ５４）。
【００６８】
紙幣処理ユニット４は、上述したｓ５１〜ｓ５４にかかる処理を、今回紙幣入出金口４ａに投入された紙幣毎に繰り返す（ｓ５５）。
【００６９】
紙幣処理ユニット４は、ｓ５４で紙幣入出金口４ａに戻した紙幣の有無を判定し（ｓ５６）、紙幣入出金口４ａに戻した紙幣があれば紙幣入出金口４ａに設けたシャッタを一時的に開し（ｓ５７）、紙幣入出金口４ａに戻した紙幣を利用者に返却する。
【００７０】
このように、募金できる貨幣を外貨のみに限定した場合、この図１４、および図１５に示す処理を実行することによって、利用者が硬貨入出金口５ａや紙幣入出金口４ａに誤って外貨とともに自国の貨幣を投入しても、誤って投入された自国の貨幣を利用者に返却することができる。したがって、利用者に対するサービスが向上できる。
【００７１】
また、図１２に示した処理と、図１４に示した処理とを組合せ、そのサイズが予め規定しているサイズでない硬貨、および自国の硬貨を利用者に返却するようにしてもよい。同様に、図１３に示した処理と、図１５に示した処理とを組合せ、そのサイズが予め規定しているサイズでない紙幣、および自国の紙幣を利用者に返却するようにしてもよい。
【００７２】
また、上記の例では、募金された貨幣をリジェクトカートリッジ５８、４５に搬送し、収納するとしたが、募金された貨幣を収納する専用の募金用カートリッジを別途設けてもよい。
【００７３】
また、上述の募金取引において、募金する貨幣の通貨単位（円、ドル、ユーロ、ポンド、元等）を利用者に入力させるようにしてもよい。この募金する貨幣の通貨単位の入力は、図６に示した、ｓ４とｓ５の間で行えばよい。また、この場合、ｓ１４で募金された貨幣の通貨単位も加えて上位装置に通知すればよい。また、募金する貨幣の通貨単位の選択においては、「不明」や、「複数種」等も選択できるようにしてもよい。
【００７４】
また、この場合には、募金する貨幣の通貨単位に応じて、収納するカートリッジを異ならせてもよい。
【符号の説明】
【００７５】
１…ＡＴＭ
２…主制御ユニット
３…操作ユニット
３ａ…表示器
３ｂ…タッチパネル
４…紙幣処理ユニット
４ａ…紙幣入出金口
５…硬貨処理ユニット
５ａ…硬貨入出金口
６…明細票処理ユニット
７…通帳処理ユニット
８…通信ユニット
４０…紙幣搬送路
４１〜４４…金種別カートリッジ
４５…リジェクトカートリッジ
４６…一時保留部
４９…紙幣識別部
５０…硬貨搬送路
５１〜５６…金種別カートリッジ
５７…一時保留部
５８…リジェクトカートリッジ
５９…硬貨識別部
【図１】
2015005235.tif 000003
【図２】
2015005235.tif 000004
【図３】
2015005235.tif 000005
【図４】
2015005235.tif 000006
【図５】
2015005235.tif 000007
【図６】
2015005235.tif 000008
【図７】
2015005235.tif 000009
【図８】
2015005235.tif 000010
【図９】
2015005235.tif 000011
【図１０】
2015005235.tif 000012
【図１１】
2015005235.tif 000013
【図１２】
2015005235.tif 000014
【図１３】
2015005235.tif 000015
【図１４】
2015005235.tif 000016
【図１５】
2015005235.tif 000017